(57)【特許請求の範囲】
【請求項１】
操作部と当該操作部の中央部を揺動可能に支持するスイッチケースとを有し、操作部の揺動操作に応じてオン・オフされるとともに、ハウジングに形成した取付用開口部から操作部が表面側に露出した状態で設けられるスイッチと、
前記操作部の前記取付用開口部から露出した部分を覆うとともに、その周縁部が前記スイッチケースと前記取付用開口部周縁のハウジング裏面との間に挟み込まれる可撓性の防水パッキングと、
を備え、
前記防水パッキングの周縁部に操作部の揺動中心線位置からいずれか一方に偏らせて張出部を設ける一方、前記取付用開口部周縁のハウジング裏面に突起部を設け、
前記防水パッキングを前記揺動中心線に対して正規の姿勢とは逆の姿勢に組み付けた場合に、前記張出部と前記突起部とが相互に干渉するようにしたことを特徴とするスイッチ装置の防水構造。
【請求項２】
前記張出部に厚みをもたせ、前記防水パッキングを前記逆の姿勢に組み付けた場合に、前記張出部と前記突起部とが前記ハウジング裏面上に重なり合って、前記張出部とハウジング内の構造物とが干渉するようにしたことを特徴とする請求項１に記載のスイッチ装置の防水構造。
【請求項３】
前記防水パッキングの周縁を略矩形状に形成し、
前記張出部を、前記略矩形状の角部から離間させて設けたことを特徴とする請求項１または２に記載のスイッチ装置の防水構造。
【請求項４】
前記防水パッキングを前記正規の姿勢で組み付けた場合に、前記張出部と前記突起部とが前記取付用開口部の中心について相互に点対称となるように構成したことを特徴とする請求項１〜３のうちいずれか一つに記載のスイッチ装置の防水構造。
【請求項５】
前記張出部に嵌合穴を形成するとともに、前記取付用開口部周縁のハウジング裏面の前記嵌合穴に対応する部位に、当該嵌合穴に密接嵌合される嵌合突起を設けたことを特徴とする請求項１〜４のうちいずれか一つに記載のスイッチ装置の防水構造。
【請求項６】
前記防水パッキングの周縁部と前記取付用開口部周縁のハウジング裏面との双方に、相互に密接嵌合する環状凹凸部を設けたことを特徴とする請求項１〜５のうちいずれか一つに記載のスイッチ装置の防水構造。
【請求項７】
前記環状凹凸部では、前記防水パッキングの周縁部に設けた環状凸状の内周側がシール面となるようにしたことを特徴とする請求項６に記載のスイッチ装置の防水構造。
【請求項８】
前記防水パッキングを前記取付用開口部に嵌合して仮保持できるようにしたことを特徴とする請求項１〜７のうちいずれか一つに記載のスイッチ装置の防水構造。
【請求項９】
前記防水パッキングに設けた縦壁部を前記取付用開口部の開口壁面に嵌合させるとともに、
前記縦壁部の上端で、当該縦壁部と操作部を被覆する被覆壁部とを折曲した状態で接続し、
前記被覆壁部と操作部との隙間を、操作部の頂上側に向かうにつれて漸減させたことを特徴とする請求項８に記載のスイッチ装置の防水構造。
【請求項１０】
前記防水パッキングには、前記操作部の操作面に対応する部分に一対の平面部を形成するとともに、それら平面部間を隔てる溝部を形成したことを特徴とする請求項１〜９のうちいずれか一つに記載のスイッチ装置の防水構造。
【請求項１１】
前記防水パッキングの周縁部が前記取付用開口部周縁のハウジング裏面に圧接する部位に、当該取付用開口部を囲繞する複数条の環状突起を設けたことを特徴とする請求項１〜１０のうちいずれか一つに記載のスイッチ装置の防水構造。
【発明の詳細な説明】
【技術分野】
【０００１】
本発明は、電気機器に設けたスイッチ装置の防水構造に関する。
【背景技術】
【０００２】
従来、複数のコンセントを備えたテーブルタップに、オン・オフ切り換えするスイッチを設けて、そのスイッチをオフにした場合は電源から供給される電気を各コンセントに供給するのを遮断するようにしたものが知られている（例えば、特許文献１参照）。
【０００３】
このようにテーブルタップにスイッチを設けることにより、各コンセントへの電気供給を一括して管理できるので、例えば外出時等には各コンセントからその都度プラグを抜くことなく電気機器の待機電力の消耗を防ぐことができる等、種々のメリットがある。
【特許文献１】実開昭６１−１２６５８１号公報（第１頁、第１図）
【発明の開示】
【発明が解決しようとする課題】
【０００４】
かかる従来のスイッチ付きテーブルタップには、スイッチを装着した部分での防塵・防水性を確保すべく、当該スイッチの操作部を防水パッキングで覆い、その防水パッキングの周縁部を、テーブルタップのハウジングとスイッチとの間にシールを確保した状態で取り付けたものがある。
【０００５】
かかる構造では、スイッチの操作部を防水パッキングで覆った分、操作部表面の視認性・識別性が低下するため、オン・オフの誤操作を防止すべく、防水パッキングに、オン・オフ方向を識別するための表示部、例えばオン方向を示す凸部等を設けるのが好適である。
【０００６】
しかし、防水パッキングに表示部を設けた構造では、スイッチ自体が正しい姿勢で組み付けられていたとしても、防水パッキングが誤ってオン・オフが逆となる姿勢で組み付けられていた場合には、オン・オフ操作が逆となり、正常なスイッチ機能を果たすことができなくなってしまう。
【０００７】
このため、防水パッキングの逆組み付けを防止するために、その組み付け工程では細心の注意を払う必要があり、その分、必然的に生産性が低下してしまうという問題があった。
【０００８】
そこで、本発明は、防水パッキングの誤組み付けをより確実に抑制することができるスイッチ装置の防水構造を得ることを目的とする。
【課題を解決するための手段】
【０００９】
請求項１の発明にあっては、操作部と当該操作部の中央部を揺動可能に支持するスイッチケースとを有し、操作部の揺動操作に応じてオン・オフされるとともに、ハウジングに形成した取付用開口部から操作部が表面側に露出した状態で設けられるスイッチと、上記操作部の上記取付用開口部から露出した部分を覆うとともに、その周縁部が上記スイッチケースと上記取付用開口部周縁のハウジング裏面との間に挟み込まれる可撓性の防水パッキングと、を備え、上記防水パッキングの周縁部に操作部の揺動中心線位置からいずれか一方に偏らせて張出部を設ける一方、上記取付用開口部周縁のハウジング裏面に突起部を設け、上記防水パッキングを上記揺動中心線に対して正規の姿勢とは逆の姿勢に組み付けた場合に、上記張出部と上記突起部とが相互に干渉するようにしたことを特徴とする。
【００１０】
請求項２の発明にあっては、上記張出部に厚みを持たせ、上記防水パッキングを上記逆の姿勢に組み付けた場合に、上記張出部と上記突起部とが上記ハウジング裏面上に重なり合って、上記張出部とハウジング内の構造物とが干渉するようにしたことを特徴とする。
【００１１】
請求項３の発明にあっては、上記防水パッキングの周縁を略矩形状に形成し、上記張出部を、上記略矩形状の角部から離間させて設けたことを特徴とする。
【００１２】
請求項４の発明にあっては、上記防水パッキングを上記正規の姿勢で組み付けた場合に、上記張出部と上記突起部とが上記取付用開口部の中心について相互に点対称となるように構成したことを特徴とする。
【００１３】
請求項５の発明にあっては、上記張出部に嵌合穴を形成するとともに、上記取付用開口部周縁のハウジング裏面の上記嵌合穴に対応する部位に、当該嵌合穴に密接嵌合される嵌合突起を設けたことを特徴とする。
【００１４】
請求項６の発明にあっては、上記防水パッキングの周縁部と上記取付用開口部周縁のハウジング裏面との双方に、相互に密接嵌合する環状凹凸部を設けたことを特徴とする。
【００１５】
請求項７の発明にあっては、上記環状凹凸部では、上記防水パッキングの周縁部に設けた環状凸状の内周側がシール面となるようにしたことを特徴とする。
【００１６】
請求項８の発明にあっては、上記防水パッキングを上記取付用開口部に嵌合して仮保持できるようにしたことを特徴とする。
【００１７】
請求項９の発明にあっては、上記防水パッキングに設けた縦壁部を上記取付用開口部の開口壁面に嵌合させるとともに、上記縦壁部の上端で、当該縦壁部と操作部を被覆する被覆壁部とを折曲した状態で接続し、上記被覆壁部と操作部との隙間を、操作部の頂上側に向かうにつれて漸減させたことを特徴とする。
【００１８】
請求項１０の発明にあっては、上記防水パッキングには、上記操作部の操作面に対応する部分に一対の平面部を形成するとともに、それら平面部間を隔てる溝部を形成したことを特徴とする。
【００１９】
請求項１１の発明にあっては、上記防水パッキングの周縁部が上記取付用開口部周縁のハウジング裏面に圧接する部位に、当該取付用開口部を囲繞する複数条の環状突起を設けたことを特徴とする。
【発明の効果】
【００２０】
請求項１の発明によれば、防水パッキングを逆の姿勢に組み付けた場合には、張出部と突起部とが相互に干渉するため、組み付け時に、誤組み付け（逆組み付け）であることを容易に識別することができ、正しい組み付け姿勢に容易にかつ迅速に修正することができる。
【００２１】
請求項２の発明によれば、張出部とハウジング内の構造物とが干渉することによっても、誤組み付け（逆組み付け）であることを識別することができるため、より一層確実に誤組み付けを抑制することができる。
【００２２】
また、張出部に厚みを持たせた分、防水パッキングを可撓性の比較的柔軟な素材で形成した場合でも、ハウジング内の構造物と干渉した場合に張出部が潰れるのが抑制されて、誤組み付けの識別性を高めることができるという利点がある。
【００２３】
請求項３の発明によれば、張出部を、略矩形状の周縁部の角部より剛性の低い位置に設けた分、当該角部に設けた場合に比べて、剛性が低くなって張出部を取付用開口部の中心側に倒れ込ませやすくなり、張出部とハウジング内の構造物とをより確実に干渉させ、誤組み付けの識別性を高めることができる。
【００２４】
請求項４の発明によれば、少なくとも一組の張出部と突起部とを点対称に配置することで、逆の姿勢で組み付けた場合に、張出部と突起部とを干渉させることができる。
【００２５】
請求項５の発明によれば、張出部を、正規な取付状態において、防水パッキンをハウジングに保持または一時的に仮保持する手段として利用することができる。
【００２６】
請求項６の発明によれば、上記環状凹凸部によって、防水性をさらに高めることができる。
【００２７】
請求項７の発明によれば、取付用開口部から近い側でシールするようにした分、シールの信頼性を高めることができる。
【００２８】
請求項８の発明によれば、仮保持によって、取付作業をより容易にかつより迅速に行うことができるようになる。
【００２９】
請求項９の発明によれば、縦壁部の上端で折曲させたことで、押圧操作によって防水パッキングをより容易にかつより確実に撓ませて、操作性を向上することができる上、操作部の頂上側に向かうにつれて被覆壁部と操作部との隙間を漸減させることで、防水パッキンが操作部に引っ掛かるのを抑制するとともに、操作部の頂上部と防水パッキングとの隙間を小さくできて操作感を向上することができる。
【００３０】
請求項１０の発明によれば、操作部の視認性を向上し、誤操作を抑制することができる。
【００３１】
請求項１１の発明によれば、複数条の環状突起により、シール性を高めることができる。
【発明を実施するための最良の形態】
【００３２】
以下、本発明の実施形態について図面を参照しつつ詳細に説明する。
【００３３】
（第１実施形態）図１〜図１２は本発明にかかるスイッチ装置の防水構造の第１実施形態を示し、図１は、テーブルタップの斜視図、図２は、テーブルタップの分解斜視図であり、図３は、図１中Ａ−Ａ線に沿った拡大断面図、図４は、防水パッキングの底面斜視図、図５は、防水パッキングを（ａ）の平面図と（ｂ）の側面図と（ｃ）の正面図と（ｄ）の底面図とで示す説明図である。
【００３４】
また、図６は、防水パッキングの正規組み付け状態を示す底面図、図７は、図６中Ｂ−Ｂ線に沿った断面図、図８は、ハウジングに形成したスイッチの取付用開口部の内部斜視図であり、図９は、防水パッキングの逆組み付け状態を示す底面図、図１０は、図９中Ｃ−Ｃ線に沿った断面図、図１１は、図７中Ｄ部の拡大断面図、図１２は、図３中Ｅ部の拡大断面図である。
【００３５】
本実施形態のスイッチ装置の防水構造は、図１，図２に示すように、電気機器としてのテーブルタップ１に適用された場合を例にとって説明し、そのテーブルタップ１を説明するにあたって、便宜上、図中上方を上の部材および上方位置、図中下方を下の部材および下方位置および図中左・右方向左・右位置をとして説明するが、特にそれら上・下および左・右の位置関係を特定するものでは無い。
【００３６】
テーブルタップ１は、図１に示すように、外カバー２Ａと外ボディ２Ｂとによって断面略矩形状の中空に形成されるハウジング２を備え、そのハウジング２の上面２ｃに図外のプラグの栓刃差込ユニット３が、ハウジング２の長さ方向に適宜間隔をもって複数（本実施形態では２個）設けられるとともに、ハウジング２の先端面２ｄにも１つの栓刃差込ユニット３が設けられる。
【００３７】
また、ハウジング２の上面２ｃの基端側（図２中向こう側）には、オン・オフ切換用のスイッチ１０が設けられ、このスイッチ１０の切り換えによって電源コード４から供給される電気が、各栓刃差込ユニット３に通電および遮断されるようになっている。
【００３８】
ここで、本実施形態では、スイッチ１０は、防水パッキング２０を設けた防水型スイッチとして提供される。
【００３９】
そして、テーブルタップ１の詳細な内部構造は、図２に示すように、上・下に分割された外カバー２Ａと外ボディ２Ｂとの間に、中ボディ５、刃受け６、栓刃差込ユニット３およびスイッチ１０が内蔵され、電源コード４がハウジング２に挿入される部分には、防水ブッシング７が取り付けられる。
【００４０】
外カバー２Ａは、下方が解放された浅い断面略逆Ｕ字状に形成され、その上面２ｃには、栓刃差込ユニット３の栓刃差込口３ａを上方に臨ませる開口部２Ａａが形成されるとともに、スイッチ１０を嵌め込んで取り付ける取付用開口部２Ａｂが形成される。また、外カバー２Ａの先端面２ｄにも、栓刃差込ユニット３の栓刃差込口３ａを臨ませるＵ字状の切欠部２Ａｃが形成される。
【００４１】
外ボディ２Ｂは、上方が解放された浅い断面略Ｕ字状に形成され、その長さ方向に複数（本実施形態では３本）の組立ネジ８を挿通するネジ取付孔２Ｂａが形成され、そのネジ取付孔２Ｂａに挿通した組立ネジ８を介して外カバー２Ａと外ボディ２Ｂとを結合するようになっている。また、外ボディ２Ｂの先端面２ｄには、外カバー２Ａの切欠部２Ａｃと合わせて矩形状の開口部を形成する切欠部２Ｂｄが形成される。
【００４２】
また、外ボディ２Ｂの内側には、中ボディ５の側壁５ａおよび底面５ｂの外側形状に沿って切欠いたリブ２Ｂｂが長さ方向に複数突設され、それらリブ２Ｂｂによって中ボディ５を安定的に嵌合支持するようになっている。なお、外カバー２Ａの内側にも中ボディ５を嵌合支持する複数のリブが設けられている。
【００４３】
さらに、外カバー２Ａおよび外ボディ２Ｂの基端側の壁面間には、電源コード４を取り込むための切欠き２Ｂｃ（外カバー２Ａの切欠きは隠れている）が形成され、それら切欠き２Ｂｃに電源コード４を挿通した防水ブッシング７の鍔部７ａが嵌合・係止される。
【００４４】
つまり、鍔部７ａは筒状に形成された防水ブッシング７の基部（図２中手前側）に形成されて、その外側形状が略矩形状となり、その鍔部７ａの外周に形成された溝部７ｂが切欠き２Ｂｃの周縁部に嵌め込まれることになる。このとき、外カバー２Ａの切欠きと外ボディ２Ｂの切欠き２Ｂｃとが合わさることにより、鍔部７ａの外側形状に沿った矩形状の開口部となる。
【００４５】
また、外カバー２Ａおよび外ボディ２Ｂの基端側の内側には、切欠き２Ｂｃの中央部近傍に電源コード４の２本のコード４ａ，４ｂを分離させるリブ２Ｂｂが突設（外カバー２Ａにあっても同様）されている。
【００４６】
中ボディ５は、刃受け６を保持するケースで、上方および先端（図中手前側）が解放された断面Ｕ字状に形成され、その内側には刃受け６を嵌合保持するための複数の突起部５ｃが突設されるとともに、底面５ｂの中央部には組立ネジ８を挿通する開口部５ｄが形成されている。
【００４７】
刃受け６は、ハウジング２の幅方向（左右方向）に配置される２本の導電帯板６ａ，６ｂを備え、それら導電帯板６ａ，６ｂのそれぞれの中間部には、プラグの栓刃を弾発力をもって挟み込む刃受けばね６ｃが所定間隔をもって２箇所設けられるとともに、導電帯板６ａ，６ｂのそれぞれの先端部（図２中手前側）には同様の刃受けばね６ｃが１箇所設けられる。
【００４８】
そして、各刃受けばね６ｃは、栓刃差込ユニット３にそれぞれ２箇所設けられた栓刃差込口３ａに配置される。なお、各栓刃差込ユニット３はそれぞれの栓刃差込口３ａに図外の防水扉が開閉自在に設けられて、防水構造となっている。
【００４９】
また、導電帯板６ａ，６ｂの基端部（図２中向こう側）は、スイッチ１０に接続される接続端部６ｄ，６ｅとなっている。
【００５０】
スイッチ１０は、揺動操作される操作部１１と、この操作部１１の中央部を揺動可能に支持するスイッチケース１２とを備え、操作部１１の揺動操作でオン・オフされる、所謂タンブラースイッチを構成しており、ハウジング２の取付用開口部２Ａｂから操作部１１を外方に臨ませて取り付けられる。
【００５１】
スイッチ１０には、図２中向こう側に電源コード４の２本のコード４ａ，４ｂが接続される図外の２つの入力端子と、図２中手前側に突出する２つの出力端子１３ａ，１３ｂが設けられ、操作部１１をオン操作、つまり、突起１１ａが設けられた側を図２に示すように下方に押すことにより、電源コード４から供給される電気を出力端子１３ａ，１３ｂに通電する一方、操作部１１をオフ操作、つまり、突起１１ａが設けられたとは反対側を下方に押すことにより、電源コード４から供給される電気を遮断して、出力端子１３ａ，１３ｂには通電されないようになっている。
【００５２】
出力端子１３ａ，１３ｂは、刃受け６のそれぞれ対応する接続端部６ｄ，６ｅに接続され、スイッチ１０のオン状態で各栓刃差込ユニット３が通電状態になる一方、スイッチ１０のオフ状態で各栓刃差込ユニット３が非通電状態となる。
【００５３】
防水パッキング２０は、可撓性および伸縮性にとむ材質、例えばゴムや軟質合成樹脂等によって形成され、図４に示すように周縁部２０ａがスイッチケース１２の上端部形状に略沿った矩形状を成し、その中央部には上記操作部１１の外側を覆う形状を成す被覆部２１が膨出形成される。
【００５４】
防水パッキング２０の取り付けは、操作部１１を被覆部２１で覆った状態で、それら被覆部２１および操作部１１を外カバー２Ａの図２中下方から取付用開口部２Ａｂに嵌め込み、防水パッキング２０の周縁部２０ａをスイッチケース１２の上端と取付用開口部２Ａｂの周縁部内側（ハウジング裏面）との間に挟み込むようになっている。
【００５５】
そして、防水パッキング２０の被覆部２１を外方から押圧することにより、その被覆部２１の変形を伴いつつ操作部１１を揺動操作できるようになっており、被覆部２１の上面には操作部１１の突起１１ａに対応した位置に同様の突起２１ａが突設され、この突起２１ａの形成側を押圧することにより操作部１１をオン操作できるようになっている。
【００５６】
このように構成されたテーブルタップ１の組み付けは、図２に示すように外ボディ２Ｂに、刃受け６を保持した中ボディ５をセットするとともに、防水パッキング２０を操作部１１に被せた状態でスイッチ１０をセットし、そして、刃受け６の各刃受けばね６ｃにそれぞれ対応する栓刃差込ユニット３を配置しつつ、外カバー２Ａをそれらの上方から被せて、組立ネジ８によって外ボディ２Ｂと外カバー２Ａとを結合する。
【００５７】
すると、図３に示すようにスイッチ１０は、外カバー２Ａと外ボディ２Ｂとの間に挟まれた状態で固定されるとともに、防水パッキング２０の周縁部２０ａはスイッチケース１２の上端と取付用開口部２Ａｂの周縁部内側（ハウジング裏面）との間に圧着状態で挟み込まれて、防水パッキング２０が固定される。
【００５８】
もちろん、電源コード４はスイッチ１０に接続した状態で、それに挿通した防水ブッシング７とともに外カバー２Ａと外ボディ２Ｂとの基端部間にセットされる。
【００５９】
ここで、本実施形態にあっては、図４〜図７にも示すように、防水パッキング２０の周縁部２０ａに操作部１１の揺動中心線Ｃｌ（図６参照）位置からいずれか一方、本実施形態ではオフ操作側（図２参照）に偏らせて張出部２２を設けるとともに、取付用開口部２Ａｂの周縁部内側に操作部１１の揺動中心線Ｃｌに対して張出部２２と線対称となる部位Ｐｍに突起部３０を設けてある。
【００６０】
突起部３０は、図８に示すように取付用開口部２Ａｂの側辺に平行となる縦壁３０ａと、この縦壁３０ａに対して直角となる横壁３０ｂとによって、略Ｔ字状に形成される。
【００６１】
このとき、本実施形態では図６に示すようにハウジング２内部、特に防水パッキング２０が取り付けられる外カバー２Ａの内部は所定幅Ｗを有し、スイッチ１０は操作部１１の揺動方向（図中左右方向）がハウジング２の略幅（Ｗ）一杯に有効配置されており、張出部２２は防水パッキング２０の周縁部２０ａで操作部１１の揺動中心線Ｃｌに直角となる両辺２０ｓ１，２０ｓ２にそれぞれ対向させて設けてある。
【００６２】
また、図９，図１０に示すように、張出部２２は、ハウジング裏面に垂直な方向に厚みを持たせて形成し、防水パッキング２０を逆の姿勢に組み付けた場合に、張出部２２と突起部３０とがハウジング２の裏面上に重なり合うようにし、それら張出部２２と突起部３０とが干渉した状態で組み付け、つまり、外カバー２Ａと外ボディ２Ｂとを組立ネジ８を介して結合した際に、張出部２２が倒れ込み方向（図１０中矢印Ｋ）に変形してテーブルタップ１の内部構造物である部品と干渉するに必要な厚さＴおよび高さＨに形成してある。
【００６３】
ここで、この張出部２２は、略矩形状に形成された防水パッキング２０の周縁部２０ａの角部から離間させて設け、内部構造物と干渉したときに倒れ込むのに必要な可撓性を確保できるようにしてある。周縁部２０ａの角部に設けると、剛性が高くなり、取付用開口部２Ａｂ中心側への倒れ込み量が不足して、十分な干渉状態が得られなくなるおそれがあるからである。
【００６４】
さらに、本実施形態では、図７，図１１に示すように、防水パッキング２０の周縁部２０ａと取付用開口部２Ａｂの周縁部内側（ハウジング裏面）との双方に、互いに密接嵌合する環状凹凸部３１を形成してある。
【００６５】
環状凹凸部３１は、図１１に示すように、取付用開口部２Ａｂを囲繞するようにそれの周縁部に形成した凹部３２と、防水パッキング２０の周縁部２０ａからその凹部３２に沿って突出する凸部（凸条）２３と、によって構成され、凸部２３が凹部３２内に密接嵌合される。
【００６６】
また、本実施形態では、防水パッキング２０は、図３，図５に示すように、スイッチ１０の操作部１１の操作面に対応する部分、つまり被覆部２１の上面で操作部１１の揺動中心線Ｃｌを境にした両端部に一対の平面部２４，２４ａを設けるとともに、当該平面部２４，２４ａ間を隔てる溝部２５を凹設してある。
【００６７】
一対の平面部２４，２４ａは、それぞれの上面は相互に傾斜されることなく略一直線状に形成され、かつ、溝部２５は円弧状の湾曲面をもって内方に凹設されている。
【００６８】
さらに、図３に示すように防水パッキング２０が取付用開口部２Ａｂに嵌合される部分に干渉部分２６を設けてある。
【００６９】
すなわち、防水パッキング２０は被覆部２１の基端部周囲が取付用開口部２Ａｂに嵌合されるが、本実施形態では図１２に示すように取付用開口部２Ａｂの内周面を内方から外方に向かって若干幅狭となるように傾斜させる一方、被覆部２１の基端部は少なくとも取付用開口部２Ａｂに嵌合される部分を垂直壁（縦壁部）２１ｂとし、その垂直壁２１ｂを取付用開口部２Ａｂの内周面に当接させることにより、干渉部分２６は取付用開口部２Ａｂの外方部分に配置される。
【００７０】
また、本実施形態では、図１２に示すように、防水パッキング２０の被覆部２１は、操作部１１の両端角部との間の隙間δ１を小さくすることで、被覆部２１を押圧して操作部１１をオン・オフ切り換えするときの操作感を良くし、かつ、被覆部２１の両側部と操作部１１の両側部との間の隙間δ２を大きくすることで、操作部１１を揺動操作した時の擦れを防止できるようにしてある。
【００７１】
すなわち、防水パッキング２０に設けた垂直壁（縦壁部）２１ｂを取付用開口部２Ａｂの開口壁面に嵌合させるとともに、垂直壁２１ｂの上端で、当該垂直壁２１ｂと操作部１１を被覆する被覆壁部２７とを折曲した状態で接続し、被覆壁部２７と操作部１１との隙間（δ１，δ２）を、操作部１１の頂上側（平面部２４ａ側）に向かうにつれて漸減させている（δ２＞δ１）。
【００７２】
以上の構成により、本実施形態にかかるスイッチ１０の防水構造によれば、防水パッキング２０の周縁部２０ａに操作部１１の揺動中心線Ｃｌ位置からオフ操作側に偏って張出部２２を設ける一方、取付用開口部２Ａｂ周縁のハウジング裏面に突起部３０を設け、防水パッキング２０を揺動中心線Ｃｌに対して正規の姿勢とは逆の姿勢に組み付けた場合に、張出部２２と突起部３０とが相互に干渉するようにしたので、図９，図１０に示すように、防水パッキング２０を逆組み付け、つまり突起２１ａを設けたオン操作側とその反対側のオフ操作側とが逆となるように組み付けた場合に、張出部２２が突起部３０に干渉し、防水パッキング２０が取付用開口部２Ａｂに対して沈み込み、正規位置に組み付けることができない。
【００７３】
このため、防水パッキング２０を迅速に組み付けて逆組み付けした場合にも、その逆組み付けを即座に認識して、図６に示すような正規の状態に組み代えることができるため、防水パッキング２０を効率良くかつ迅速に組み付けることが可能となって生産性を向上することができる。
【００７４】
また、張出部２２は防水パッキング２０を組み付ける際のつまみとしても機能するため、防水パッキング２０の組み付け作業性が向上し、このことによっても生産性を向上することができる。
【００７５】
さらに、本実施形態では、張出部２２を、厚みを持たせて形成し、防水パッキング２０を逆の姿勢に組み付けた場合に、張出部２２と突起部３０とがハウジング裏面上に重なり合って、張出部２２とハウジング内の構造物とが干渉するようにしたため、防水パッキング２０を可撓性のある比較的柔軟な素材で形成した場合でも、ハウジング２内の構造物と干渉した場合に張出部２２が潰れるのが抑制されて、誤組み付けの識別性を高めることができるという利点がある。
【００７６】
要するに、張出部２２の厚さＴおよび突起部３０の高さＨを、防水パッキング２０の逆組み付けによりそれら張出部２２と突起部３０とが干渉した状態で組み付けた際に、張出部２２が倒れ込み方向に変形してテーブルタップ１の内部部品と干渉するようにしたので、防水パッキング２０の組み付け抵抗力が増大して逆組み付けをより確実に検知することができる。
【００７７】
さらにまた、本実施形態では、防水パッキング２０の周縁を略矩形状に形成し、張出部２２を、上記略矩形状の角部から離間させて設けたため、当該張出部２２を当該角部に設けた場合に比べて、張出部２２を取付用開口部２Ａｂの中心側に倒れ込ませやすくなり、張出部２２とハウジング２内の構造物とをより確実に干渉させ、誤組み付けの識別性を高めることができる。
【００７８】
また、防水パッキング２０の周縁部２０ａと取付用開口部２Ａｂの周縁部内側（ハウジング裏面）との双方に、互いに密接嵌合する環状凹凸部３１を形成したので、その環状凹凸部３１によって防水パッキング２０の周縁部２０ａと取付用開口部２Ａｂの周縁部との間のシール性を高めることができるとともに、防水パッキング２０の組み付け時に環状凹凸部３１を部分的に嵌合しておくことにより防水パッキング２０を仮保持できるため、防水パッキング２０の組み付け作業性を向上することができる。
【００７９】
さらに、防水パッキング２０が操作部１１の操作面に対応する部分の両端部に一対の平面部２４，２４ａを設けるとともに、それら平面部２４，２４ａ間に溝部２５を凹設したので、防水パッキング２０のオン・オフ操作部分が、溝部２５を境にして両端部に設けた平面部２４，２４ａとなるため、操作時に押圧する部位が明確になってオン・オフ操作がし易くなる。
【００８０】
さらにまた、防水パッキング２０が取付用開口部２Ａｂに嵌合される部分に干渉部分２６を設けたので、防水パッキング２０を取付用開口部２Ａｂに嵌合した際に、その干渉部分２６によって防水パッキング２０を仮保持できるため、防水パッキング２０の組み付け作業性をより向上することができる。
【００８１】
また、防水パッキング２０に設けた垂直壁（縦壁部）２１ｂを取付用開口部２Ａｂの開口壁面に嵌合させるとともに、垂直壁２１ｂの上端で、当該垂直壁２１ｂと操作部１１を被覆する被覆壁部２７とを折曲した状態で接続し、被覆壁部２７と操作部１１との隙間（δ１，δ２）を、操作部１１の頂上側（平面部２４ａ側）に向かうにつれて漸減させるようにしたため、折曲部を設けた分、押圧操作によって防水パッキング２０をより容易にかつより確実に撓ませて、操作性を向上することができる上、操作部１１の頂上側に向かうにつれて被覆壁部２７と操作部１１との隙間を漸減させることで、防水パッキング２０が操作部に引っ掛かるのを抑制するとともに、操作部１１の頂上部と防水パッキング２０との隙間を小さくできて操作感を向上することができる。
【００８２】
（第２実施形態）図１３は、本発明の第２実施形態を示す。なお、本実施形態では、上記第１実施形態と同一構成部分に同一符号を付して重複する説明を省略して述べるものとする。また、図１３は、防水パッキングを、（ａ）の平面図と（ｂ）の側面図と（ｃ）の正面図で示す説明図である。
【００８３】
本実施形態のスイッチ装置の防水構造は、基本的に第１実施形態と略同様の構成となり、図１３に示すように防水パッキング２０は、中央部に操作部１１の外側を覆う被覆部２１が膨出形成されるとともに、周縁部２０ａに張出部２２が設けられるが、特に本実施形態では張出部２２を、周縁部２０ａで操作部１１の揺動中心線Ｃｌに直角となる両辺２０ｓ１，２０ｓ２のうちの一方の辺２０ｓ１に設けてある。
【００８４】
また、このように一方の辺２０ｓ１に張出部２２を設けた場合は、外カバー２Ａの取付用開口部２Ａｂの周縁部内側に設ける突起部３０が、正規の姿勢で組み付けた操作部１１の揺動中心点Ｃｐに対して張出部２２と点対称となる部位Ｐｎに設けられる。
【００８５】
したがって、本実施形態によれば、張出部２２を防水パッキング２０の周縁部２０ａで操作部１１の揺動中心線Ｃｌに直角となる両辺２０ｓ１，２０ｓ２のうちの一方の辺２０ｓ１に設けてあるが、この場合にあっても突起部３０が操作部１１の揺動中心点Ｃｐに対して張出部２２と点対称となる部位Ｐｎに設けたので、防水パッキング２０を逆組み付けした際には張出部２２が突起部３０に干渉して逆組み付けを検知することができる。
【００８６】
また、本実施形態では張出部２２および突起部３０の数を必要最小限度に抑えることができるので、防水パッキング２０およびハウジング２の外カバー２Ａを成形するための型枠の構造を簡素化することができる。
【００８７】
（第３実施形態）図１４〜図１７は、本発明の第３実施形態を示す。なお、本実施形態では、第１実施形態と同一構成部分に同一符号を付して重複する説明を省略して述べるものとする。図１４は、防水パッキングの正規組み付け状態を示す底面図、図１５は、図１４中Ｆ−Ｆ線に沿った断面図、図１６は、防水パッキングの逆組み付け状態を示す底面図、図１７は、図１６中Ｇ−Ｇ線に沿った断面図である。
【００８８】
本実施形態のスイッチ装置の防水構造は、基本的に第１実施形態と略同様の構成となり、図１４，図１５に示すように防水パッキング２０の周縁部２０ａに操作部１１の揺動中心線Ｃｌ位置からいずれか一方に偏って張出部２２を設けるとともに、取付用開口部２Ａｂの周縁部内側に操作部１１の揺動中心線Ｃｌに対して張出部２２と線対称となる部位Ｐｍに突起部３０を設けてあり、特に本実施形態では、張出部２２に嵌合穴２２ａを形成するとともに、取付用開口部２Ａｂの周縁部内側に嵌合穴２２ａに対応した部位に、その嵌合穴２２ａに密接嵌合される嵌合突起３３を設けてある。
【００８９】
したがって、本実施形態によれば、図１４，図１５に示すように正規組み付け状態では、張出部２２に形成した嵌合穴２２ａを取付用開口部２Ａｂの周縁部内側に設けた嵌合突起３３に密接嵌合することにより、防水パッキング２０の組み付け時にその防水パッキング２０を確実に保持（仮保持）することができ、組み付け作業性をより向上することができる。
【００９０】
また、本実施形態では、防水パッキング２０が逆組み付けされた場合は、第１実施形態と同様に、図１６，図１７に示すように、張出部２２が突起部３０に干渉して、張出部２２がハウジング２の内方に倒れ込んで内部部品と干渉するため、その逆組み付けを容易に認識することができる。
【００９１】
（第４実施形態）図１８，図１９は、本発明の第４実施形態を示す。なお、本実施形態では、第１実施形態と同一構成部分に同一符号を付して重複する説明を省略して述べるものとする。図１８は、防水パッキングと取付用開口部との間に形成した環状凹凸部の拡大断面図、図１９は、環状凹凸部の嵌合状態を（ａ），（ｂ）に順を追って示す要部断面図である。
【００９２】
本実施形態のスイッチ装置の防水構造は、基本的に第１実施形態と略同様に防水パッキング２０の周縁部２０ａと取付用開口部２Ａｂの周縁部内側との間に、互いに密接嵌合する環状凹凸部３１を形成してあるが、特に本実施形態では図１８に示すように環状凹凸部３１に、互いに嵌合する内周部分３１ａに防水パッキング２０側の圧縮変形を伴いつつ挿入される干渉部分３４を設けてある。
【００９３】
すなわち、環状凹凸部３１は、取付用開口部２Ａｂを囲繞する凹部３２と、防水パッキング２０の周縁部２０ａに突出する凸部２３と、によって構成されるが、干渉部分３４は、凸部２３の取付用開口部２Ａｂに面した内周部分を若干膨出させて形成され、その凸部２３が凹部３２に嵌合される際に、その凹部３２の内側で凸部２３の内周部分を強く押圧するようになっている。すなわち、この環状凹凸部３１では、防水パッキング２０の周縁部に設けた環状の凸部２３の内周側がシール面となるようにしている。
【００９４】
また、本実施形態では干渉部分３４を形成した凸部２３が凹部３２に嵌合し易くなるように、凸部２３の外周と凹部３２との間に僅かの隙間を形成してある。
【００９５】
したがって、本実施形態によれば、図１９（ａ）に示すように環状凹凸部３１の凸部２３を凹部３２に挿入した際に、図１９（ｂ）に示すようにそれぞれの内周部分３１ａが干渉部分３４で圧入され、凸部２３の内周部分に凹部３２から押圧力が作用しつつ嵌合されるため、環状凹凸部３１の内周部分３１ａの密封性を高めることができるとともに、干渉部分３４は防水パッキング２０側に形成された凸部２３の圧縮変形を伴うため、その圧縮変形の反動で凸部２３は外周方向に変形して環状凹凸部３１の外周部分も密接して、結果的に環状凹凸部３１の内・外周部分でシール性を確保し、防塵・防水性能をより高めることができる。
【００９６】
なお、本実施形態では凸部２３の内周部分を膨出させたが、凹部３２の内周側を膨出させてもよい。
【００９７】
（第５実施形態）図２０，図２１は、本発明の第５実施形態を示す。なお、本実施形態では、第１実施形態と同一構成部分に同一符号を付して重複する説明を省略して述べるものとする。図２０は、防水パッキングの周縁部を組み込む途中の要部拡大断面図、図２１は、防水パッキングの周縁部を組み込み完了した状態の要部拡大断面図である。
【００９８】
本実施形態のスイッチ装置の防水構造は、基本的に第１実施形態と略同様に、防水パッキング２０の周縁部２０ａが取付用開口部２Ａｂの周縁部とスイッチケース１２の上端との間に挟み込まれて圧着されるが、特に本実施形態では防水パッキング２０の周縁部２０ａが取付用開口部２Ａｂの周縁部に圧接する部位に、その取付用開口部２Ａｂを囲繞する複数条（本実施形態では２条）の環状突起３５を設けてある。
【００９９】
環状突起３５は先端部が鋭角となる断面三角形状に形成され、それぞれが周縁部２０ａの上面から一体に突設する。
【０１００】
したがって、本実施形態によれば、防水パッキング２０を正規に組み付けた際には、図２１に示すように防水パッキング２０の周縁部２０ａが取付用開口部２Ａｂの周縁部とスイッチケース１２の上端との間に挟み込まれ、防水パッキング２０の周縁部２０ａに設けた複数の環状突起３５が取付用開口部２Ａｂの周縁部に押圧されて潰れ状態となるため、それらの圧着面が複数箇所で液密機能を発揮して防水効果を高めることができる。
【０１０１】
ところで、本発明は第１〜第５実施形態に例をとって説明したが、これら実施形態に限ることなく本発明の要旨を逸脱しない範囲で他の実施形態を各種採用することができる。
【図面の簡単な説明】
【０１０２】
【図１】本発明が適用されるテーブルタップの斜視図。
【図２】本発明が適用されるテーブルタップの分解斜視図。
【図３】図１中Ａ−Ａ線に沿った拡大断面図。
【図４】本発明の第１実施形態における防水パッキングの底面斜視図。
【図５】本発明の第１実施形態における防水パッキングを（ａ）の平面図と（ｂ）の側面図と（ｃ）の正面図と（ｄ）の底面図とで示す説明図。
【図６】本発明の第１実施形態における防水パッキングの正規組み付け状態を示す底面図。
【図７】図６中Ｂ−Ｂ線に沿った断面図。
【図８】本発明の第１実施形態におけるハウジングに形成したスイッチの取付用開口部の内部斜視図。
【図９】本発明の第１実施形態における防水パッキングの逆組み付け状態を示す底面図。
【図１０】図９中Ｃ−Ｃ線に沿った断面図。
【図１１】図７中Ｄ部の拡大断面図。
【図１２】図３中Ｅ部の拡大断面図。
【図１３】本発明の第２実施形態における防水パッキングを（ａ）の平面図と（ｂ）の側面図と（ｃ）の正面図で示す説明図。
【図１４】本発明の第３実施形態における防水パッキングの正規組み付け状態を示す底面図。
【図１５】図１４中Ｆ−Ｆ線に沿った断面図。
【図１６】本発明の第３実施形態における防水パッキングの逆組み付け状態を示す底面図。
【図１７】図１６中Ｇ−Ｇ線に沿った断面図。
【図１８】本発明の第４実施形態における防水パッキングと取付用開口部との間に形成した環状凹凸部の拡大断面図。
【図１９】本発明の第４実施形態における環状凹凸部の嵌合状態を（ａ），（ｂ）に順を追って示す要部断面図。
【図２０】本発明の第５実施形態における防水パッキングの周縁部を組み込む途中の要部拡大断面図。
【図２１】本発明の第５実施形態における防水パッキングの周縁部を組み込み完了した状態の要部拡大断面図。
【符号の説明】
【０１０３】
２  ハウジング
２Ａｂ  取付用開口部
１０  スイッチ
１１  操作部
１２  スイッチケース
２０  防水パッキング
２０ａ  防水パッキングの周縁部
２０ｓ１，２０ｓ２  防水パッキング周縁部の辺
２１  被覆部
２１ｂ  垂直壁（縦壁部）
２２  張出部
２２ａ  嵌合穴
２４，２４ａ  平面部
２５  溝部
２７  被覆壁部
３０  突起部
３１  環状凹凸部
３１ａ  内周部分
３３  嵌合突起
３５  環状突起
Ｃｌ  揺動中心線
Ｃｐ  揺動中心点
【図１】
0004487892.tif 000002
【図２】
0004487892.tif 000003
【図３】
0004487892.tif 000004
【図４】
0004487892.tif 000005
【図５】
0004487892.tif 000006
【図６】
0004487892.tif 000007
【図７】
0004487892.tif 000008
【図８】
0004487892.tif 000009
【図９】
0004487892.tif 000010
【図１０】
0004487892.tif 000011
【図１１】
0004487892.tif 000012
【図１２】
0004487892.tif 000013
【図１３】
0004487892.tif 000014
【図１４】
0004487892.tif 000015
【図１５】
0004487892.tif 000016
【図１６】
0004487892.tif 000017
【図１７】
0004487892.tif 000018
【図１８】
0004487892.tif 000019
【図１９】
0004487892.tif 000020
【図２０】
0004487892.tif 000021
【図２１】
0004487892.tif 000022